(57)【特許請求の範囲】
【請求項１】
ボールペン用インキを直に収容したインキ収容部材の先端開口部に、ボールを回転自在に抱持したボールペンチップを先端部に具備したチップホルダーの後端部を装着し、前記チップホルダーに形成した鍔部の後端面を前記インキ収容部材の先端面に当接してなるボールペンであって、前記チップホルダーの鍔部の後端面及び／又はインキ収容部材の先端面にインキ溜部を形成したことを特徴とするボールペン。
【発明の詳細な説明】
【０００１】
【発明の属する技術分野】
本発明は、ボールペン用インキを直に収容したインキ収容部材の先端部開口部に、ボールペンチップを先端部に具備したチップホルダーを装着してなるボールペンに関する。
【０００２】
【従来の技術】
従来から、ボールペン用インキを直に収容した軸筒の先端開口部に、ボールペンチップを先端部に具備したチップホルダーの後端部を圧入嵌合してなるボールペン、いわゆる直詰めボールペンと呼ばれているものや、ボールペン用インキを直に収容したインキ収容筒の先端開口部に、ボールペンチップを先端部に具備したチップホルダーの後端部を圧入嵌合してなるボールペンレフィルを軸筒内に収容してなるボールペンはよく知られている。こうした構造においては、チップホルダーの後端部を圧入したときに、インキ収容筒内に入り込み過ぎないように、チップホルダーに鍔部を形成し、鍔部の後端面をインキ収容筒の先端面に当接させることによって位置出しを行っている。
【０００３】
【発明が解決しようとする課題】
ところで、前記したボールペンについては、チップホルダーの後端部とインキ収容部材の圧入嵌合部にインキが侵入してしまうことがある。これは、インキ収容部材の先端部にチップホルダーの後端部を圧入嵌合する際、インキ収容部材の先端部内側寸法と、チップホルダーの後端部外側寸法を厳密に設定しても、インキ収容部材及びチップホルダーの表面粗さや、チップホルダーの後端部とインキ収容部材の内壁面との圧入嵌合部の円筒度あるいは平面度等、完全に密閉状態とすることは困難であり、形成された隙間に毛細管作用等が働き圧入嵌合部に液体であるインキの侵入を防止できないためである。
【０００４】
また、前記チップホルダーの後端部とインキ収容部材の圧入嵌合部に侵入してしまったインキは、圧入嵌合部に留まっていれば大きな問題にはならいが、圧入嵌合部を通り、インキ収容筒の先端開口部から外部へ漏れ、手、紙面又はボールペンレフィルを収容した軸筒内を汚してしまうこともあった。
【０００５】
本発明におけるインキ収容部材に直に収容するボールペン用インキとしては、一般的に知られている、水性インキ、剪断減粘性を付与したインキや油性インキ等が挙げられるが、こうしたボールペン用インキの中でも低粘度の油性インキや剪断減粘性を付与したインキは、インキと一緒に混入してしまった空気を、強制的に排出する遠心工程を設けている。遠心工程とは、遠心機を用いて遠心力をチップ先端側に向けて加え、インキをチップ先端側へ移動させ、インキと空気の比重差によって空気をインキ収容筒の後端方向に移動させて排出する工程のことである。この遠心工程によって、圧入嵌合部にインキが侵入し易くなるだけでなく、侵入したインキが外部へ漏れ易かった。
【０００６】
前記問題を解消するには、チップホルダーの後端部とインキ収容部材の内壁との圧入代を多くし、強圧入嵌合する対応策も考えられるが、いくら強圧入にしても完全にインキの侵入を防止することは難しく、さらに強圧入にすることによってインキ収容部材の先端部に強い内部応力が発生し、インキ収容部材の先端部にクラックが発生するという別の問題が発生する。
【０００７】
また、接着や溶着等によって、チップホルダーの後端部をインキ収容部材に固着することも可能であるが、接着や溶着等の場合は、チップホルダーを形成している材料の選定や、接着剤を用いる場合には、接着剤とボールペン用インキとの相性も考慮しなければならない等、製造コストのアップに繋がり低価格品には不向きであった。
【０００８】
本発明はこうした問題に鑑み、インキ収容部材やチップホルダーを特定の材質で形成するのではなく、簡単な構造で、インキ収容筒とチップホルダーの嵌合部に侵入してしまったインキを、インキ収容部材の先端開口部から外部へ漏れ難い、ボールペン用インキを直に収容したインキ収容部材の先端開口部に、ボールペンチップを先端部に具備したチップホルダーを装着してなるボールペンを簡単な構造で提供することにある。
【０００９】
本発明は、ボールペン用インキを直に収容したインキ収容部材の先端開口部に、ボールを回転自在に抱持したボールペンチップを先端部に具備したチップホルダーの後端部を装着し、前記チップホルダーに形成した鍔部の後端面を前記インキ収容部材の先端面に当接してなるボールペンであって、前記チップホルダーの鍔部の後端面及び／又はインキ収容部材の先端面にインキ溜部を形成する。
【００１０】
本発明は、少なくともボールペン用インキを直に収容したインキ収容部材、ボールを回転自在に抱持したボールペンチップ及びチップホルダーからなるボールペンレフィルを軸筒内に配設したボールペンであってもよいし、軸筒に直接、ボールペン用インキを収容したいわゆる直詰めタイプのボールペンであってもよい。
【００１１】
従って、本発明におけるインキ収容部材とは、例えば軸筒内にボールペンレフィルを収容した構造の場合にはボールペンレフィルにおけるインキ収容筒のことであり、軸筒に直接ボールペン用インキを収容した構造の場合には軸筒を示すものである。また本発明は、材質に限定されるものではないが、軸筒に直接、ボールペン用インキを収容した構造の場合には、筆記時の筆圧によって装着部に応力が加わり経時的に間隙が形成し易く、さらにインキ漏れが発生すると手や紙面等に触れやすいので、その効果は特に顕著である。
【００１２】
インキ収容部材の材質は、ポリプロピレン、アクリルニトリルスチレン等の合成樹脂材料やステンレス鋼、アルミニウム、黄銅等の金属材料等が挙げられる。チップホルダーの材質は、ポリプロピレン、アクリルニトリルスチレン等の合成樹脂材料やステンレス鋼、アルミニウム、黄銅等の金属材料等が挙げられる。チップホルダーの後端部の形状については、円筒状、楕円形、多角形等、特に限定されるものでない。
【００１３】
ボールペン用インキも、一般的に知られている水性インキ、油性インキ、剪断減粘性インキ等、ボールペンに使用するインキとして一般的に知られているものであれば限定されないが、前述したように遠心工程を設けているボールペン用インキを用いたボールペンに特に効果的である。
【００１４】
【発明の実施の形態】
本発明の実施の形態を図面を用いて説明する。同じ部材、同じ箇所を示すものは同じ符号を付す。図１から３に示すボールペン１は、チップホルダー６をポリアセタール、ポリプロピレン等の樹脂で、インキ収容部材となる軸筒２をポリプロピレン、アクリルニトリルスチレン等の樹脂で形成する。円筒状の後端部８を小径としたチップホルダー６には嵌着孔１１を設けてあり、該嵌着孔１１には、先端にボール１３を回転自在に設けたボールペンチップ１２を挿着してある。また、嵌着孔１１は後端に開口したインキ通路１０が連通している。
【００１５】
軸筒２の先端部４は軸筒の先端開口部３に向って縮径する先細状としてあり、軸筒の先端開口部３にチップホルダー６の後端部８を軸筒２の内壁５に圧入して圧入嵌合部Ｈによって装着する。このとき、チップホルダー６に形成した鍔部７の後端面７ａが、軸筒２の先端面２ａに当接するように圧入してある。
【００１６】
軸筒２内には直接、剪断減粘性を付与したインキ１５及びインキに追従するグリース状のインキ追従体１６が収容されている。また、図示はしていないが、軸筒２内に剪断減粘性インキ１５及びインキ追従体１６を収容後、インキ等と一緒に混入した空気を排出するため遠心工程を設けている。軸筒２の後端には、空気流通路１４ａを有する尾栓１４を装着してある。
【００１７】
チップホルダーの鍔部７の後端面７ａにはインキ溜部９となる周状溝が形成してある。このインキ溜部９を形成することによって軸筒２とチップホルダー６の圧入嵌合部Ｈにインキが侵入し、圧入嵌合部Ｈを通り軸筒先端部２ａまでインキが移動してもインキ溜部９にインキがある程度溜まるので外部へ漏出し難くすることができる。
【００１８】
本実施の形態では、便宜上チップホルダー６の後端部８全体を圧入嵌合しているが、これに限るものでなく、少なくともチップホルダー６の後端部８の一部が圧入嵌合してあればよい。
【００１９】
また、チップホルダー６の鍔部７の後端面７ａにインキ溜部９を形成しているが、インキ溜部９を形成場所は、鍔部の後端面及び／又は軸筒の先端面であってもよいが、前述したように遠心工程を設ける場合には、インキはチップ先端側移動するので鍔部の後端面に形成するほうが好ましい。さらにインキ溜部９を任意の数箇所あるいは周状に形成してあってもよいが、インキ漏れはどの位置から発生するか分らないので、周状に設けるほうが好ましい。
【００２０】
【発明の効果】
本発明は前述したような構造なので、インキ収容部材やチップホルダーを特定の材質で形成するのではなく、簡単な構造で、インキ収容筒とチップホルダーの圧入嵌合部に侵入してしまったインキを、インキ収容部材の先端開口部から外部へ漏洩し難い、ボールペン用インキを直に収容したインキ収容部材の先端開口部に、ボールペンチップを先端部に装着したチップホルダーの後端部を圧入嵌合してなるボールペンを簡単な構造で提供することができた。
【図面の簡単な説明】
【図１】本発明の第１の実施の形態を示す、ボールペンの縦断面図である。
【図２】図１における要部の拡大断面図である。
【図３】本発明のボールペンの組み立て状態を示す要部拡大図である。
【符号の説名】
１  ボールペン
２  軸筒
２ａ  軸筒の先端面
３  軸筒の先端開口部
４  チップホルダー
５  軸筒圧入部
６  チップホルダー
７  鍔部
７ａ  鍔部の後端面
８  後端部
９  インキ溜部
１０  嵌着孔
１１  インキ流通孔
１２  ボールペンチップ
１３  ボール
１４  尾栓
１４ａ  空気流通孔
１５  ボールペン用インキ
１６  インキ追従体
【図１】
0004688348.tif 000002
【図２】
0004688348.tif 000003
【図３】
0004688348.tif 000004